【手続補正書】
【提出日】平成16年11月25日(2004.11.25)
【手続補正１】
【補正対象書類名】明細書
【補正対象項目名】発明の名称
【補正方法】変更
【補正の内容】
【発明の名称】画像形成装置、画像形成システム、画像形成装置パラメータ最適化方法、及び画像形成装置パラメータ変更方法
【手続補正２】
【補正対象書類名】明細書
【補正対象項目名】特許請求の範囲
【補正方法】変更
【補正の内容】
【特許請求の範囲】
【請求項１】
情報処理装置とデータ通信可能な画像形成装置であって、
ホスト装置から受信した印刷データに基づいてビットマップデータを生成する生成手段と、前記生成手段で生成されたビットマップデータに基づいて画像形成を行う画像形成手段と、前記画像形成装置の使用状態に基づいて前記画像形成手段に関するパラメータの最適化を行う制御手段とを有し、
前記制御手段は、予め設定されているパラメータを、最適化した前記パラメータに変更することを特徴とする画像形成装置。
【請求項２】
前記制御手段は、前記画像形成手段に装備されており、前記パラメータの最適化を行うと共に、最適化された前記パラメータを前記画像形成手段の起動時の初期値として設定することを特徴とする請求項１記載の画像形成装置。
【請求項３】
前記制御手段は、前記生成手段に装備されており、前記パラメータの最適化を行うと共に、最適化された前記パラメータを前記画像形成手段の起動時の初期値として設定することを特徴とする請求項１記載の画像形成装置。
【請求項４】
前記パラメータは、前記画像形成手段を構成する電子写真感光体を帯電する際の帯電条件、前記電子写真感光体を露光する際の露光条件、前記電子写真感光体に形成された像を現像する際の現像条件、前記電子写真感光体に形成された像を用紙上に転写する際の転写条件、用紙上に転写された像を定着する際の定着条件、画像濃度制御における画像濃度目標値、前記画像形成手段を構成する部品の寿命情報、前記画像形成手段における画像形成モード情報、前記画像形成手段で画像形成を行う用紙のサイズ情報、前記画像形成手段における温湿度情報、前記画像形成装置に接続可能なオプション機器の接続情報の少なくとも１つを含むことを特徴とする請求項１〜３の何れかに記載の画像形成装置。
【請求項５】
前記パラメータは、前記画像形成手段における用紙ジャムの発生有無を判定するためのジャム判定閾値を含むことを特徴とする請求項１〜３の何れかに記載の画像形成装置。
【請求項６】
前記制御手段は、前記画像形成手段に関するパラメータを通信媒体を介して前記情報処理装置に転送することを特徴とする請求項１〜５の何れかに記載の画像形成装置。
【請求項７】
前記情報処理装置では、前記通信媒体を介して前記画像形成装置から転送された前記パラメータに基づいて前記画像形成手段の状態解析を行うと共に、前記状態解析に基づいて前記通信媒体を介した遠隔操作により前記画像形成装置に対し前記パラメータの変更を行うことを特徴とする請求項１〜６の何れかに記載の画像形成装置。
【請求項８】
前記通信媒体とは、インターネットを含む通信媒体であることを特徴とする請求項６又は７に記載の画像形成装置。
【請求項９】
前記画像形成装置とは、画像形成機能を備えたプリンタ、画像読取機能・画像形成機能を備えた複写機、画像読取機能・画像形成機能・ファクシミリ機能等の複数の機能を備えた複合機を含むことを特徴とする請求項１〜８の何れかに記載の画像形成装置。
【請求項１０】
データ通信可能な画像形成装置と、前記画像形成装置に関するサービス情報を提供する情報処理装置と、前記画像形成装置と前記情報処理装置とを接続するための通信媒体とを有する画像形成システムであって、
前記画像形成装置は、ホスト装置から受信した印刷データに基づいてビットマップデータを生成する生成手段と、前記生成手段で生成されたビットマップデータに基づいて画像形成を行う画像形成手段と、前記画像形成装置の使用状態に基づいて前記画像形成手段に関するパラメータの最適化を行う制御手段とを有し、
前記情報処理装置は、前記通信媒体を介して前記画像形成装置から転送された前記画像形成手段に関するパラメータを解析し、前記制御手段によって予め設定されているパラメータの変更を行う機能を有することを特徴とする画像形成システム。
【請求項１１】
前記画像形成装置の前記制御手段は、前記画像形成手段に装備されており、前記パラメータの最適化を行うと共に、最適化された前記パラメータを前記画像形成手段の起動時の初期値として設定することを特徴とする請求項１０に記載の画像形成システム。
【請求項１２】
前記画像形成装置の前記制御手段は、前記生成手段に装備されており、前記パラメータの最適化を行うと共に、最適化された前記パラメータを前記画像形成手段の起動時の初期値として設定することを特徴とする請求項１０に記載の画像形成システム。
【請求項１３】
前記パラメータは、前記画像形成手段を構成する電子写真感光体を帯電する際の帯電条件、前記電子写真感光体を露光する際の露光条件、前記電子写真感光体に形成された像を現像する際の現像条件、前記電子写真感光体に形成された像を用紙上に転写する際の転写条件、用紙上に転写された像を定着する際の定着条件、画像濃度制御における画像濃度目標値、前記画像形成手段を構成する部品の寿命情報、前記画像形成手段における画像形成モード情報、前記画像形成手段で画像形成を行う用紙のサイズ情報、前記画像形成手段における温湿度情報、前記画像形成装置に接続可能なオプション機器の接続情報の少なくとも１つを含むことを特徴とする請求項１０〜１２の何れかに記載の画像形成システム。
【請求項１４】
前記パラメータは、前記画像形成手段における用紙ジャムの発生有無を判定するためのジャム判定閾値を含むことを特徴とする請求項１０〜１２の何れかに記載の画像形成システム。
【請求項１５】
前記通信媒体とは、インターネットを含む通信媒体であることを特徴とする請求項１０〜１４記載の画像形成システム。
【請求項１６】
前記画像形成装置とは、画像形成機能を備えたプリンタ、画像読取機能・画像形成機能を備えた複写機、画像読取機能・画像形成機能・ファクシミリ機能等の複数の機能を備えた複合機を含むことを特徴とする請求項１０〜１５の何れかに記載の画像形成システム。
【請求項１７】
情報処理装置とデータ通信可能な画像形成装置に適用される画像形成装置パラメータ最適化方法であって、
前記画像形成装置が前記情報処理装置から受信した印刷データに基づいて生成手段によりビットマップデータを生成する生成ステップと、前記生成ステップで生成されたビットマップデータに基づいて画像形成手段により画像形成を行う画像形成ステップと、前記画像形成装置の使用状態に基づいて前記画像形成手段に関するパラメータの最適化を行う制御ステップとを有し、
前記制御ステップは、予め設定されているパラメータを、最適化した前記パラメータに変更するステップであることを特徴とする画像形成装置パラメータ最適化方法。
【請求項１８】
前記制御ステップでは、前記パラメータの最適化を行うと共に、最適化された前記パラメータを前記画像形成手段の起動時の初期値として設定することを特徴とする請求項１７に記載の画像形成装置パラメータ最適化方法。
【請求項１９】
前記パラメータは、前記画像形成手段を構成する電子写真感光体を帯電する際の帯電条件、前記電子写真感光体を露光する際の露光条件、前記電子写真感光体に形成された像を現像する際の現像条件、前記電子写真感光体に形成された像を用紙上に転写する際の転写条件、用紙上に転写された像を定着する際の定着条件、画像濃度制御における画像濃度目標値、前記画像形成手段を構成する部品の寿命情報、前記画像形成手段における画像形成モード情報、前記画像形成手段で画像形成を行う用紙のサイズ情報、前記画像形成手段における温湿度情報、前記画像形成装置に接続可能なオプション機器の接続情報の少なくとも１つを含むことを特徴とする請求項１７又は１８に記載の画像形成装置パラメータ最適化方法。
【請求項２０】
前記パラメータは、前記画像形成手段における用紙ジャムの発生有無を判定するためのジャム判定閾値を含むことを特徴とする請求項１７又は１８に記載の画像形成装置パラメータ最適化方法。
【請求項２１】
前記制御ステップでは、前記画像形成手段に関するパラメータを前記通信媒体を介して前記情報処理装置に転送することを特徴とする請求項１７〜２０の何れかに記載の画像形成装置パラメータ最適化方法。
【請求項２２】
データ通信可能な画像形成装置と、前記画像形成装置に関するサービス情報を提供する情報処理装置とを通信媒体を介して接続したシステムに適用される画像形成装置パラメータ変更方法であって、
前記情報処理装置が前記通信媒体を介して前記画像形成装置から転送された前記画像形成手段に関するパラメータを解析し前記パラメータの変更を行う変更ステップを有することを特徴とする画像形成装置パラメータ変更方法。
【請求項２３】
前記変更ステップでは、前記通信媒体を介して前記画像形成装置から転送された前記パラメータに基づいて前記画像形成手段の状態解析を行うと共に、前記状態解析に基づいて前記通信媒体を介した遠隔操作により前記画像形成装置に対し前記パラメータの変更を行うことを特徴とする請求項２２に記載の画像形成装置パラメータ変更方法。
【請求項２４】
前記パラメータは、前記画像形成手段を構成する電子写真感光体を帯電する際の帯電条件、前記電子写真感光体を露光する際の露光条件、前記電子写真感光体に形成された像を現像する際の現像条件、前記電子写真感光体に形成された像を用紙上に転写する際の転写条件、用紙上に転写された像を定着する際の定着条件、画像濃度制御における画像濃度目標値、前記画像形成手段を構成する部品の寿命情報、前記画像形成手段における画像形成モード情報、前記画像形成手段で画像形成を行う用紙のサイズ情報、前記画像形成手段における温湿度情報、前記画像形成装置に接続可能なオプション機器の接続情報の少なくとも１つを含むことを特徴とする請求項２２又は２３に記載の画像形成装置パラメータ変更方法。
【請求項２５】
前記パラメータは、前記画像形成手段における用紙ジャムの発生有無を判定するためのジャム判定閾値を含むことを特徴とする請求項２２又は２３に記載の画像形成装置パラメータ変更方法。
【手続補正３】
【補正対象書類名】明細書
【補正対象項目名】０００１
【補正方法】変更
【補正の内容】
【０００１】
【発明の属する技術分野】
本発明は、画像形成装置、画像形成システム、画像形成装置パラメータ最適化方法、及び画像形成装置パラメータ変更方法に関し、特に、電子写真方式で画像形成を行う画像形成装置に搭載されるエンジンのインテリジェント化を図る場合等に好適な画像形成装置、画像形成システム、画像形成装置パラメータ最適化方法、及び画像形成装置パラメータ変更方法に関する。
【手続補正４】
【補正対象書類名】明細書
【補正対象項目名】００１０
【補正方法】変更
【補正の内容】
【００１０】
本発明は、上述した点に鑑みなされたものであり、画像形成装置のエンジンをインテリジェント化し、ユーザに余分な負荷やストレスを与えずに常に最高のパフォーマンスを提供可能とした画像形成装置、画像形成システム、画像形成装置パラメータ最適化方法、及び画像形成装置パラメータ変更方法を提供することを目的とする。
【手続補正５】
【補正対象書類名】明細書
【補正対象項目名】００１１
【補正方法】変更
【補正の内容】
【００１１】
【課題を解決するための手段】
上記目的を達成するため、本発明は、情報処理装置とデータ通信可能な画像形成装置であって、ホスト装置から受信した印刷データに基づいてビットマップデータを生成する生成手段と、前記生成手段で生成されたビットマップデータに基づいて画像形成を行う画像形成手段と、前記画像形成装置の使用状態に基づいて前記画像形成手段に関するパラメータの最適化を行う制御手段とを有し、前記制御手段は、予め設定されているパラメータを、最適化した前記パラメータに変更することを特徴とする。
【手続補正６】
【補正対象書類名】明細書
【補正対象項目名】００１２
【補正方法】変更
【補正の内容】
【００１２】
また、本発明は、データ通信可能な画像形成装置と、前記画像形成装置に関するサービス情報を提供する情報処理装置と、前記画像形成装置と前記情報処理装置とを接続するための通信媒体とを有する画像形成システムであって、前記画像形成装置は、ホスト装置から受信した印刷データに基づいてビットマップデータを生成する生成手段と、前記生成手段で生成されたビットマップデータに基づいて画像形成を行う画像形成手段と、前記画像形成装置の使用状態に基づいて前記画像形成手段に関するパラメータの最適化を行う制御手段とを有し、前記情報処理装置は、前記通信媒体を介して前記画像形成装置から転送された前記画像形成手段に関するパラメータを解析し、前記制御手段によって予め設定されているパラメータの変更を行う機能を有することを特徴とする。
【手続補正７】
【補正対象書類名】明細書
【補正対象項目名】００１３
【補正方法】変更
【補正の内容】
【００１３】
また、本発明は、情報処理装置とデータ通信可能な画像形成装置に適用される画像形成装置パラメータ最適化方法であって、前記画像形成装置が前記情報処理装置から受信した印刷データに基づいて生成手段によりビットマップデータを生成する生成ステップと、前記生成ステップで生成されたビットマップデータに基づいて画像形成手段により画像形成を行う画像形成ステップと、前記画像形成装置の使用状態に基づいて前記画像形成手段に関するパラメータの最適化を行う制御ステップとを有し、前記制御ステップは、予め設定されているパラメータを、最適化した前記パラメータに変更するステップであることを特徴とする。
【手続補正８】
【補正対象書類名】明細書
【補正対象項目名】００１４
【補正方法】変更
【補正の内容】
【００１４】
また、本発明は、データ通信可能な画像形成装置と、前記画像形成装置に関するサービス情報を提供する情報処理装置とを通信媒体を介して接続したシステムに適用される画像形成装置パラメータ変更方法であって、前記情報処理装置が前記通信媒体を介して前記画像形成装置から転送された前記画像形成手段に関するパラメータを解析し前記パラメータの変更を行う変更ステップを有することを特徴とする。